(57)【要約】【課題】設備の新設及び更新に容易に且つ低コストで対応し得る経済性に優れた薬液添加装置を提供する。【解決手段】薬液収容室３に薬液容器体７を収容する一方、機器室４には薬液ポンプ１１とその作動を制御する制御器１４を配置し、制御器１４により薬液ポンプ１１の作動タイミングと薬液添加量を予め定めた添加条件に基づいて制御する。係る構成によれば、装置全体をコンパクトに構成できるとともに、該装置の流通過程及び設置工事に際して、その取扱が容易であり、流通コスト及び設置コストの低減が図れる。さらに、薬液の添加を被処理水の状況に合わせて細かく設定し得ることから、薬液添加による高水準の処理が実現されるとともに、制御器１４における制御条件をより最適に設定することができる。【選択図】図１
2011000582.tif 000002
【特許請求の範囲】
【請求項１】
被処理水に対して薬液を添加する薬液添加装置であって、
薬液収容室（３）と機器室（４）が併設されたケース（１）の上記薬液収容室（３）に薬液容器体（７）が収容される一方、上記機器室（４）には薬液ポンプ（１１）と該薬液ポンプ（１１）の作動を制御する制御器（１４）が配置され、
上記薬液ポンプ（１１）によって上記薬液容器体（７）内の薬液を上記被処理水に添加するとともに、上記制御器（１４）によって少なくとも上記薬液ポンプ（１１）の作動タイミングと薬液添加量が予め定めた添加条件に基づいて制御されることを特徴とする薬液添加装置。
【請求項２】
請求項１において、
上記機器室（４）内にエアポンプ（１２）が配置され、該エアポンプ（１２）によって上記被処理水にエアを供給することを特徴とする薬液添加装置。
【請求項３】
請求項１又は２において、
上記薬液ポンプ（１１）に接続される薬液供給管（２３）及び上記エアポンプ（１２）に接続されるエア供給管（２４）が、共に可撓性管体で構成されていることを特徴とする薬液添加装置。
【請求項４】
請求項１又は２において、
上記薬液収容室（３）の内壁に断熱材（６）が設けられていることを特徴とする薬液添加装置。
【発明の詳細な説明】
【技術分野】
【０００１】  本願発明は、例えば、グリーストラップとか浄化槽等の処理槽内の被処理水に、例えば、油脂分解能とか特定成分除去能をもった薬液を添加するための薬液添加装置に関するものである。
【背景技術】
【０００２】  例えば、グリーストラップにおける薬液添加装置としては、特許文献１とか特許文献２に示されるように、種々の提案がなされている。【０００３】  これらの薬液添加装置は、グリーストラップの複数に区画された各処理部の被処理水に、薬液を添加するとともに、空気供給装置からエアレーション用空気を供給するように構成されているが、これら薬液添加装置及び空気供給装置は、処理槽の近傍に、或いは処理槽と一体的に、設置され、且つ配管によって処理槽に固定的に接続されることで、該処理槽と共に一つのシステムを構築するのが通例である。
【先行技術文献】
【特許文献】
【０００４】
【特許文献１】  実用新案登録第３０６８４８９号公報
【特許文献２】  特開２００１−２５２６８０号公報
【発明の概要】
【発明が解決しようとする課題】
【０００５】  ところが、上述のように処理槽と薬液添加装置及び空気供給装置が一体的に構築されたシステムにおいては、例えば、処理能力の増大とか老朽化に伴う更新等を目的として既設の処理槽を取り換えるような場合には、該処理槽のみならず、該処理槽と共に薬液添加装置等をも一体として取り換えることが必要となり、設備更新に伴うイニシャルコストが高くなるという問題が生じる。【０００６】  また、逆に、処理槽の取り換えは必要ないが、薬液添加装置とか空気供給装置を、機能の低下とか老朽化によって更新する必要が生じることもあり、係る場合には、該薬液添加装置等の取り換え作業に配管工事を必要とすることから、作業が大掛かりなものとなり、設備更新に伴うイニシャルコストが高くなるという問題が生じる。【０００７】  一方、グリーストラップの保守点検作業に伴う処理作用の空白期間（即ち、処理小が行なわれない期間）の発生を回避する観点から、複数のグリーストラップを設置し、これらを交互に稼動させることも一般的に行われているが、係る場合、各グリーストラップにはそれぞれ専用の薬液添加装置等が備えられていることから、グリーストラップの稼動待機に伴って、必然的に該薬液添加装置等の稼働率も低くなり、その結果、システム全体のランニングコストが高くつくという問題もある。【０００８】  また、ユーザサイドからは、グリーストラップ全体としての設置スペースの狭小化によるスペースの有効活用等の観点から、薬液添加装置についてそのコンパクト化の要請があり、係る要請は地価高騰という世情を背景に今後益々高まると思われる。【０００９】  そこで本願発明は、設備の新設及び更新に容易に且つ低コストで対応でき、しかもコンパクトな構成の薬液添加装置を提供することを目的としてなされたものである。
【課題を解決するための手段】
【００１０】  本願発明ではかかる課題を解決するための具体的手段として次のような構成を採用している。【００１１】  本願の第１の発明では、被処理水に対して薬液を添加する薬液添加装置において、薬液収容室３と機器室４が併設されたケース１の上記薬液収容室３に薬液容器体７を収容する一方、上記機器室４には薬液ポンプ１１と該薬液ポンプ１１の作動を制御する制御器１４を配置し、上記薬液ポンプ１１によって上記薬液容器体７内の薬液を上記被処理水に添加するとともに、上記制御器１４によって少なくとも上記薬液ポンプ１１の作動タイミングと薬液添加量を予め定めた添加条件に基づいて制御することを特徴としている。【００１２】  本願の第２の発明では、上記第１の発明に係る薬液添加装置において、上記機器室４内にエアポンプ１２を配置し、該エアポンプ１２によって上記被処理水にエアを供給することを特徴としている。【００１３】  本願の第３の発明では、上記第１又は第２の発明に係る薬液添加装置において、上記薬液ポンプ１１に接続される薬液供給管２３及び上記エアポンプ１２に接続されるエア供給管２４を、共に可撓性管体で構成したことを特徴としている。【００１４】  本願の第４の発明では、上記第１又は第２の発明に係る薬液添加装置において、上記薬液収容室３の内壁に断熱材６を設けたことを特徴としている。
【発明の効果】
【００１５】  本願発明では次のような効果が得られる。【００１６】  （ａ）本願の第１の発明に係る薬液添加装置によれば、薬液収容室３と機器室４が併設されたケース１の上記薬液収容室３に薬液容器体７を収容する一方、上記機器室４には薬液ポンプ１１と該薬液ポンプ１１の作動を制御する制御器１４を配置しているので、
（ａ−１）  例えば、これら各構成要素を個別に配置するような場合に比して、装置全体をコンパクトに構成してコンパクト化の要請に応えることができる、
（ａ−２）  薬液添加装置の流通過程及び設置工事に際して、その取扱が容易であり、流通コスト及び設置コストの低減が図れる、
等の効果が得られる。【００１７】  また、上記制御器１４によって少なくとも上記薬液ポンプ１１の作動タイミングと薬液添加量を予め定めた添加条件に基づいて制御するように構成しているので、
（ａ−３）  薬液の添加を被処理水の状況に合わせて細かく設定することができ、延いては薬液添加による被処理水の処理、例えば、グリーストラップにあっては高水準の油脂分解処理を実現することができる、
（ａ−４）  上記制御器１４における制御条件を設定する際には、該制御器１４に近接して配置された上記薬液容器体７及び上記薬液ポンプ１１の状況を確認しながらできることから、上記制御条件をより最適に設定することができる、
等の効果も得られる。【００１８】  （ｂ）本願の第２の発明に係る薬液添加装置によれば、上記（ａ）に記載の効果に加えて、以下のような特有の効果が得られる。即ち、この発明では、上記機器室４内にエアポンプ１２を配置し、該エアポンプ１２によって上記被処理水にエアを供給するようにしているので、特にエア供給を必要とする処理形態の装置、例えば、グリーストラップにおいては、上記エアポンプ１２をも含めた薬液添加装置全体のコンパクト化が図れ、延いてはグリーストラップ装置全体のコンパクト化が促進され、設置スペースの有効活用というユーザニーズにも応えることができる。【００１９】  （ｃ）本願の第３の発明に係る薬液添加装置によれば、上記（ａ）又は（ｂ）に記載の効果に加えて、以下のような特有の効果が得られる。即ち、この発明では、上記薬液ポンプ１１に接続される薬液供給管２３及び上記エアポンプ１２に接続されるエア供給管２４を、共に可撓性管体で構成しているので、例えば、単一の上記薬液添加装置を、複数設置された処理槽間で兼用する場合、従来のような配管工事等の大掛かりな工事を何等必要とすることなく、容易に移動させて所要の処理層に設置することができ、その結果、上記薬液添加装置の有効利用が図れ、延いてはグリーストラップ装置全体としてのイニシャルコスト及びランニングコストの低減が図れることになる。【００２０】  （ｄ）本願の第４の発明に係る薬液添加装置によれば、上記（ａ）又は（ｂ）に記載の効果に加えて、以下のような特有の効果が得られる。即ち、この発明では、上記薬液収容室３の内壁に断熱材６を設けているので、例えば、該薬液添加装置が付設される処理槽の設置場所が温度変化の激しい場所であったとしても、上記薬液収容室３が収容された薬液の温度変化が可及的に抑制され、該薬液の熱害による性状変化もなく、該薬液添加による被処理水の処理状態が長期に亘って良好に維持されることになる。
【図面の簡単な説明】
【００２１】
【図１】  本願発明の第１の実施の形態に係る薬液添加装置の全体斜視図である。
【図２】  図１に示した薬液添加装置をグリーストラップ装置に適用した場合の説明図である。
【図３】  図２に示した散気管の拡大斜視図である。
【図４】  本願発明の第２の実施の形態に係る薬液添加装置の全体斜視図である。
【発明を実施するための形態】
【００２２】  以下、本願発明を好適な実施形態に基づいて具体的に説明する。
【００２３】  Ａ：第１の実施形態
図１には、本願の第１の実施形態に係る薬液添加装置Ｚ１を示している。この薬液添加装置Ｚ１は、図２に示すようにグリーストラップ装置６１に適用されるものであって、縦長矩形のケース１を備えている。このケース１は、その前面１ａが扉５によって開閉可能とされるほか、他の面は板材により覆われているが、係る構成に限定されるものではなく、例えば、取扱性等を考慮して、これら覆蓋面を適宜開閉可能とすることもできる。
【００２４】  上記ケース１は、上下方向の中段に配置した棚板２によって、該棚板２の上側に位置する薬液収容室３と、該棚板２の下側に位置する機器室４の上下二室に区画されている。そして、上記薬液収容室３の内壁面には断熱材６が配置され、これによって上記薬液収容室３の断熱性が確保されている。
【００２５】  上記薬液収容室３には、次述の薬液容器体７が収容されるが、その場合、該薬液容器体７の下面側に突設された注出口７３が上記棚板２に衝突して上記薬液収容室３内への収容を阻害しないように、上記棚板２のケース前面中央には、その前端から奥側へ向かって切り込む切欠部８が設けられている。
【００２６】  上記薬液容器体７は、上記薬液容器体７内に収容可能な大きさをもつ矩形のダンボール製の外箱７１内に、その下面に上記注出口７３を備えるとともにその内部に薬液が充填されたた可撓性に富むキューブ缶７２を収納して構成される。尚、上記薬液容器体７は、上記蓋５を開放した状態で上記薬液収容室３に出し入れされる。
【００２７】  一方、上記機器室４内には、その開放された前面寄りの下側位置に薬液ポンプ１１と制御器１４が、上側位置にタイマー１３が、それぞれ配置されるとともに、これら各部材の奥側にはエアポンプ１２が配置されている。また、上記機器室４の最前面には、薬液用コネクター１７とエア用コネクター１８と電源用コネクター１９が取付けられた板状のコネクタブラケット１５が立設固定されている。
【００２８】  上記薬液ポンプ１１と上記薬液容器体７の上記注出口７３とは、可撓性の薬液吸込管２１を介して接続されている。また、上記薬液ポンプ１１と上記薬液用コネクター１７は、可撓性の薬液吐出管２２を介して接続されている。さらに、上記薬液用コネクター１７には、可撓性の薬液供給管２３が接続されている。
【００２９】  従って、上記薬液容器体７内の薬液は、上記薬液ポンプ１１から吐出された後、上記薬液供給管２３を通って所定の処理槽側へ送給される（図２参照）。この場合、上記薬液ポンプ１１の作動タイミングと薬液の添加量は、処理条件等を勘案して予め設定された添加条件に基づいて、上記制御器１４によってそれぞれ制御される。具体的には、上記薬液ポンプ１１の作動タイミングは上記タイマー１３の設定に基づき上記制御器１４による上記薬液ポンプ１１のＯＮ−ＯＦＦ制御によって、また、薬液の添加量は上記制御器１４による上記薬液ポンプ１１の回転数の増減制御によって、それぞれ実行される。
【００３０】  上記エアポンプ１２は、エア吐出管１６によって上記エア用コネクター１８に接続されるとともに、該エア用コネクター１８には、二股接続管２０を介して二本のエア供給管２４が接続されている。また、上記二股接続管２０と二本のエア供給管２４の間には、圧力調整器６が設けられており、該圧力調整器６によって供給エア量を任意に調整することができるようになっている。尚、この圧力調整は、手動にて行われるが、これに限定されるものではなく、例えば、上記制御器１４によって、予め設定された添加条件に合致するように自動調整することもできる。
【００３１】  また、上記電源用コネクター１９には、電源コード２５が接続され、上記薬液ポンプ１１と上記エアポンプ１２と上記タイマー１３及び上記制御器１４のそれぞれに給電される。
【００３２】  以上のように構成された上記薬液添加装置Ｚ１は、図２に示すように、グリーストラップ装置６１の薬液添加装置として用いられる。なお、上記グリーストラップ装置６１は、所定大きさの処理槽６２を備える。そして、この処理槽６２は、例えば、複数の隔壁６３〜６５によって第１槽６６〜第４槽６９の四つの槽に区画されるが、この場合、上記各隔壁６３〜６５の下端側はそれぞれ所定の大きさに開口している。従って、上記各槽６６〜６９は、上記処理槽６２の底部において相互に連続した状態となっている。
【００３３】  尚、この実施形態では設けていないが、例えば、上記各槽６６〜６９の幅方向の中間位置に（即ち、上記各隔壁６３〜６５間の中間位置に）、上記処理槽６２の底面から立ち上がる底面側隔壁を設け、上記第１槽６６側へ流入した後、第２槽６７、第３槽６８を経て第４槽６９側へ順次流れる被処理水を、上記隔壁６３〜６５の下端部と上記各底面側隔壁の上端部によって、上下方向に流れ方向が交互に変化する蛇行流となさしめ、これによって被処理水の攪拌作用を促進させるように構成することもできる。
【００３４】  一方、上記第１槽６６の外側壁面には排水導入管５５が配置されるとともに、上記第４槽６９の外側壁面には排水出口管５６が配置されている。さらに、上記第１槽６６の上記排水導入管５５の直下位置には、籠状の残渣受５７が配置されている。
【００３５】  以上のように構成された上記グリーストラップ装置６１の上記処理槽６２に、上記薬液添加装置Ｚ１が付設される。この場合、上記薬液供給管２３は、その先端が上記第１槽６６と第２槽６７の底部近傍に位置するように配置され、ここに開口される。従って、上記薬液供給管２３を通して供給される薬液は、上記第１槽６６と第２槽６７の底部近傍から被処理水に添加され、ここから周囲に拡散され、被処理水に含まれている油脂成分の分解作用に供される。
【００３６】  一方、上記エア供給管２４は、その先端に次述の散気管２７が取付けられ、該散気管２７と共に上記第１槽６６と第２槽６７の底部に浸漬配置される。そして、上記エア供給管２４から供給されるエアは、上記散気管２７に設けた通孔２８から泡状に放出され、これにより被処理水にエアレーション作用が働き、被処理水の油脂成分の分解作用が促進される。
【００３７】  ここで、上記散気管２７について具体的に説明する。上記散気管２７は、図３に示すように、上記エア供給管２４の先端が接続される所定長さの直管体で構成される本体部２７Ａと、該本体部２７Ａの両端にそれぞれＴ形状に接続された一対の延設部２７Ｂで構成され、全体として略Ｈ形の外観形体を呈している。そして、上記各延設部２７Ｂの両端部の下面側には所定数の通孔２８が形成されている。さらに、上記本体部２７Ａの内部には、例えば、鉄筋等の浮力調整材２９が仕込まれている。
【００３８】  上記散気管２７の上記本体部２７Ａの長さと上記延設部２７Ｂの長さは、共に、上記処理槽６２の各第１槽６６及び第２層６７の平面寸法に対応して設定され、該散気管２７が上記各層６６，６７内に浸漬配置されたとき、上記延設部２７Ｂの両端部が槽壁に当接することで、該散気管２７の平面方向における回り止めがなされるようになっている。また、本体部２７Ａと一対の延設部２７Ｂによって略Ｈ形の形体としたことで、上記槽の底面に対する上記散気管２７の接地状態が良好となる。さらに、上記本体部２７Ａに浮力調整材２９を設けたことで、エアレーション作用を受けて上記散気管２７が浮き上がるのが抑制される。これらの相乗効果として、上記散気管２７は、上記処理槽６２の底面に安定的に且つ適正状態で浸漬配置されることになる。
【００３９】  尚、上記散気管２７では、例えば、その全域に上記通孔２８を形成するのではなく、上記各延設部２７Ｂの両端部の下面側のみに上記通孔２８を形成しているが、係る構成とすることで、エアレーションによって上記各層６６，６７内の被処理水に、該各層６６，６７の壁面にそって上昇し、水面側の中央部から降下する対流が効果的に生成され、該被処理水に対する攪拌作用がより一層促進されることになる。
【００４０】  ここで、上記グリーストラップ装置６１における被処理水の処理作用について簡単に説明する。上記グリーストラップ装置６１の上記処理槽６２には、残渣及び油脂成分を含んだ被処理水が、上記排水導入管５５を通して上記残渣受５７に流入する。この残渣受５７において残渣が捕集された後の被処理水は、上記第１槽６６から第４槽６９に向けて順次流れるが、その際、上記散気管２７からのエア放出によるエアレーション作用と、上記薬液供給管２３から供給される薬液による油脂成分の分解作用によって、油脂成分が次第に分解消滅されて浄化される、この浄化された被処理水は、上記第４槽６９から上記排水出口管５６を通して下水側へ排出される。
【００４１】  この実施形態に係る薬液添加装置Ｚ１では、以下のような作用効果が得られる。
【００４２】  （イ）この実施形態に係る薬液添加装置Ｚ１によれば、上記薬液収容室３と上記機器室４が併設された上記ケース１の上記薬液収容室３に上記薬液容器体７を収容する一方、上記機器室４には上記薬液ポンプ１１と該薬液ポンプ１１の作動を制御する上記制御器１４を配置しているので、例えば、これら各構成要素を個別に配置するような場合に比して、装置全体をコンパクトに構成してコンパクト化の要請に応えることができるとともに、上記薬液添加装置Ｚ１の流通過程及び設置工事に際しては、その取扱が容易であり、流通コスト及び設置コストの低減が図れることになる。
【００４３】  （ロ）また、上記制御器１４によって少なくとも上記薬液ポンプ１１の作動タイミングと薬液添加量を予め定めた添加条件に基づいて制御するように構成しているので、薬液の添加を被処理水の状況に合わせて細かく設定することができ、延いては薬液添加による被処理水の処理、例えば、グリーストラップにあっては高水準の油脂分解処理を実現することができるとともに、上記制御器１４における制御条件を設定する際には、該制御器１４に近接して配置された上記薬液容器体７及び上記薬液ポンプ１１の状況を確認しながらできることから、上記制御条件をより最適に設定することができることになる。
【００４４】  また、この実施形態の薬液添加装置Ｚ１では、上記機器室４内にエアポンプ１２を配置し、該エアポンプ１２によって上記被処理水にエアを供給するようにしているので、特にエア供給を必要とする処理形態の装置、例えば、上例のようにグリーストラップ装置６１においては、上記エアポンプ１２をも含めた薬液添加装置Ｚ１全体のコンパクト化が図れ、延いてはグリーストラップ装置６１全体としてのコンパクト化が促進され、設置スペースの有効活用というユーザニーズにも応えることができる。
【００４５】  さらに、この実施形態に係る薬液添加装置Ｚ１によれば、上記薬液ポンプ１１に接続される上記薬液供給管２３及び上記エアポンプ１２に接続されるエア供給管２４を、共に可撓性をもつ管体で構成しているので、例えば、単一の上記薬液添加装置Ｚ１を、複数設置された処理槽間で兼用する場合、従来のような配管工事等の大掛かりな工事を何等必要とすることなく、容易に移動させて所要の処理層に設置することができ、その結果、上記薬液添加装置Ｚ１の有効利用が図れ、延いてはグリーストラップ装置６１全体としてのイニシャルコスト及びランニングコストの低減が図れることになる。
【００４６】  また、この実施形態に係る薬液添加装置Ｚ１によれば、上記薬液収容室３の内壁に断熱材６を設けているので、例えば、該薬液添加装置Ｚ１が付設される処理槽の設置場所が温度変化の激しい場所であったとしても、上記薬液収容室３に収容された薬液の温度変化が可及的に抑制され、該薬液の熱害による性状変化もなく、該薬液添加による被処理水の処理状態が長期に亘って良好に維持されることになる。
【００４７】  Ｂ：第２の実施形態
図４には、本願の第２の実施形態に係る薬液添加装置Ｚ２を示している。この薬液添加装置Ｚ２は、例えば、エアレーション装置が既に備えられている浄化槽に付設して、塩素等の浄化用薬液を被浄化水に添加する場合に好適な装置であって、上記第１の実施形態の薬液添加装置Ｚ１においては設けられていた上記エアポンプ１２を取り除いた他は、該第１の実施形態の薬液添加装置Ｚ１と同様の構成を備えている。但し、上記エアポンプ１２の配置が不要で、上記ケース１内に上記ニアポンプ１２の配置スペースを確保する必要が無くなった分だけ該ケース１の形体が小さく形成されている。従って、薬液添加装置Ｚ２のコンパクト化という点では有利である。
【００４８】  尚、図４の薬液添加装置Ｚ２の各部材には、図１の上記薬液添加装置Ｚ１の各部材に対応させてこれと同じ符号を付すことで、該薬液添加装置Ｚ１の該当説明を援用し、ここでの説明を省略する。また、その作用効果についても同様に、上記薬液添加装置Ｚ１の該当説明を援用する。
【符号の説明】
【００４９】１    ・・ケース
２    ・・棚板
３    ・・薬液収容室
４    ・・機器室
５    ・・扉
６    ・・断熱材
７    ・・薬液容器体
８    ・・切欠部
１１  ・・薬液ポンプ
１２  ・・エアポンプ
１３  ・・タイマー
１４  ・・制御器
１５  ・・コネクタブラケット
２１  ・・薬液吸込管
２２  ・・薬液吐出管
２３  ・・薬液供給管
２４  ・・エア供給管
２５  ・・電源コード
２６  ・・圧力調整器
２７  ・・散気管
２８  ・・通孔
２９  ・・浮力調整材
５５  ・・排水入口管
５６  ・・排水出口管
５７  ・・残渣受
６１  ・・グリーストラップ装置
６２  ・・処理槽
７１  ・・外箱
７２  ・・キューブ缶
７３  ・・注出口
Ｚ１  ・・薬液添加装置
Ｚ２  ・・薬液添加装置
【図１】
2011000582.tif 000003
【図２】
2011000582.tif 000004
【図３】
2011000582.tif 000005
【図４】
2011000582.tif 000006